(57)【要約】【課題】「ＳＲＶＣＣ」において、ＵＥ＃１の音声通信のみを切り替える運用及びＵＥ＃１の音声通信及びパケット通信の両方を切り替える運用の両方を実現することができる。【解決手段】本発明に係る移動通信システムは、ＵＥ＃１の音声通信を、Ｅ-ＵＴＲＡＮを介して音声通信用パケットベアラを用いて行う状態からＵＴＲＡＮ/ＧＥＲＡＮを介して回線交換ベアラを用いて行う状態に切り替える手順において、Ｅ-ＵＴＲＡＮのｅＮＢは、ＵＴＲＡＮ/ＧＥＲＡＮに対して、「ＳＲＶＣＣ  ＨＯ  Ｉｎｄｉｃａｔｉｏｎ」を通知するように構成されており、「ＳＲＶＣＣ  ＨＯ  Ｉｎｄｉｃａｔｉｏｎ」は、「ＣＳ  Ｏｎｌｙ」を含むか、或いは、「ＰＳ  ａｎｄ  ＣＳ」を含む。【選択図】図３
2012085074.tif 000002
【特許請求の範囲】
【請求項１】
回線交換通信をサポートしていない第１通信方式の無線アクセスネットワーク及び回線交換通信をサポートしている第２通信方式の無線アクセスネットワークを具備する移動通信システムであって、
移動局の音声通信を、前記第１通信方式の無線アクセスネットワークを介して音声通信用パケットベアラを用いて行う状態から前記第２通信方式の無線アクセスネットワークを介して回線交換ベアラを用いて行う状態に切り替える手順において、前記第１通信方式の無線アクセスネットワークの無線基地局は、前記第２通信方式の無線アクセスネットワークに対して、切替指示情報を通知するように構成されており、
前記切替指示情報は、前記移動局の音声通信のみを切り替えるように指示するか、或いは、該移動局の音声通信に加えて、該移動局の音声通信以外のパケット通信を、前記第１通信方式の無線アクセスネットワークを介して行う状態から前記第２通信方式の無線アクセスネットワークを介して行う状態に切り替えるように指示することを特徴とする移動通信システム。
【請求項２】
前記第１通信方式の無線アクセスネットワークの無線基地局は、移動管理ノード、所定サーバ及び回線交換機を介して、前記第２通信方式の無線アクセスネットワークに対して透過的に転送される転送情報に前記切替情報を含めるように構成されていることを特徴とする請求項１に記載の移動通信システム。
【請求項３】
回線交換通信をサポートしていない第１通信方式の無線アクセスネットワーク及び回線交換通信をサポートしている第２通信方式の無線アクセスネットワークを具備する移動通信システムにおいて、該第１通信方式の無線アクセスネットワークの無線基地局であって、
移動局の音声通信を、前記第１通信方式の無線アクセスネットワークを介して音声通信用パケットベアラを用いて行う状態から前記第２通信方式の無線アクセスネットワークを介して回線交換ベアラを用いて行う状態に切り替える手順において、前記第２通信方式の無線アクセスネットワークに対して、切替指示情報を通知するように構成されており、
前記切替指示情報は、前記移動局の音声通信のみを切り替えるように指示するか、或いは、該移動局の音声通信に加えて、該移動局の音声通信以外のパケット通信を、前記第１通信方式の無線アクセスネットワークを介して行う状態から前記第２通信方式の無線アクセスネットワークを介して行う状態に切り替えるように指示することを特徴とする無線基地局。
【請求項４】
移動管理ノード、所定サーバ及び回線交換機を介して、前記第２通信方式の無線アクセスネットワークに対して透過的に転送される転送情報に、前記切替情報を含めるように構成されていることを特徴とする請求項３に記載の無線基地局。
【発明の詳細な説明】
【技術分野】
【０００１】
本発明は、移動通信システム及び無線基地局に関する。
【背景技術】
【０００２】
従来、回線交換（ＣＳ：Ｃｉｒｓｕｉｔ  Ｓｗｉｔｃｈ）通信をサポートしている２Ｇ/３Ｇ方式（第１通信方式）の無線アクセスシステム（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ/ＧＥＲＡＮ：ＧＳＭ  ＥＤＧＥ  Ｒａｄｉｏ  Ａｃｃｅｓｓ  Ｎｅｔｗｏｒｋ）、及び、回線交換通信をサポートしていないＬＴＥ（Ｌｏｎｇ  Ｔｅｒｍ  Ｅｖｏｌｕｔｉｏｎ）方式の無線アクセスシステム（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
かかる移動通信システムにおいて、ＵＥ（Ｕｓｅｒ  Ｅｑｕｉｐｍｅｎｔ、移動局）＃１の音声通信を、Ｅ-ＵＴＲＡＮを介して音声通信用パケットベアラを用いて行う状態（ＩＭＳ（ＩＰ  Ｍｕｌｔｉｍｅｄｉａ  Ｓｕｂｓｙｓｔｅｍ、サービス制御ネットワーク）を用いてＶｏＩＰ通信を行う状態）からＵＴＲＡＮ/ＧＥＲＡＮを介して回線交換ベアラを用いて行う状態に切り替えることによって、ＵＥ＃１の音声通信を継続可能とする技術、すなわち、「ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）」が知られている（非特許文献１参照）。
【先行技術文献】
【非特許文献】
【０００４】
【非特許文献１】３ＧＰＰ  ＴＳ２３.２１６
【発明の概要】
【発明が解決しようとする課題】
【０００５】
かかる「ＳＲＶＣＣ」において、上述のＵＥ＃１の音声通信に加えて、ＵＥ＃１の音声通信以外のパケット通信を、Ｅ-ＵＴＲＡＮを介して行う状態からＵＴＲＡＮ/ＧＥＲＡＮを介して行う状態に切り替えることができる。
【０００６】
しかしながら、従来の「ＳＲＶＣＣ」は、ＵＥ＃１の音声通信のみを切り替えるべきか、ＵＥ＃１の音声通信及びパケット通信の両方を切り替えるべきかについて、ＵＴＲＡＮ/ＧＥＲＡＮに対して通知するように構成されていないため、実際には、ＵＥ＃１の音声通信のみを切り替える運用或いはＵＥ＃１の音声通信及びパケット通信の両方を切り替える運用のいずれかしか行うことができないという問題点があった。
【０００７】
そこで、本発明は、上述の課題に鑑みてなされたものであり、「ＳＲＶＣＣ」において、ＵＥ＃１の音声通信のみを切り替える運用及びＵＥ＃１の音声通信及びパケット通信の両方を切り替える運用の両方を実現することができる移動通信システム及び無線基地局を提供することを目的とする。
【課題を解決するための手段】
【０００８】
本発明の第１の特徴は、回線交換通信をサポートしていない第１通信方式の無線アクセスネットワーク及び回線交換通信をサポートしている第２通信方式の無線アクセスネットワークを具備する移動通信システムであって、移動局の音声通信を、前記第１通信方式の無線アクセスネットワークを介して音声通信用パケットベアラを用いて行う状態から前記第２通信方式の無線アクセスネットワークを介して回線交換ベアラを用いて行う状態に切り替える手順において、前記第１通信方式の無線アクセスネットワークの無線基地局は、前記第２通信方式の無線アクセスネットワークに対して、切替指示情報を通知するように構成されており、前記切替指示情報は、前記移動局の音声通信のみを切り替えるように指示するか、或いは、該移動局の音声通信に加えて、該移動局の音声通信以外のパケット通信を、前記第１通信方式の無線アクセスネットワークを介して行う状態から前記第２通信方式の無線アクセスネットワークを介して行う状態に切り替えるように指示することを要旨とする。
【０００９】
本発明の第２の特徴は、回線交換通信をサポートしていない第１通信方式の無線アクセスネットワーク及び回線交換通信をサポートしている第２通信方式の無線アクセスネットワークを具備する移動通信システムにおいて、該第１通信方式の無線アクセスネットワークの無線基地局であって、移動局の音声通信を、前記第１通信方式の無線アクセスネットワークを介して音声通信用パケットベアラを用いて行う状態から前記第２通信方式の無線アクセスネットワークを介して回線交換ベアラを用いて行う状態に切り替える手順において、前記第２通信方式の無線アクセスネットワークに対して、切替指示情報を通知するように構成されており、前記切替指示情報は、前記移動局の音声通信のみを切り替えるように指示するか、或いは、該移動局の音声通信に加えて、該移動局の音声通信以外のパケット通信を、前記第１通信方式の無線アクセスネットワークを介して行う状態から前記第２通信方式の無線アクセスネットワークを介して行う状態に切り替えるように指示することを要旨とする。
【発明の効果】
【００１０】
以上説明したように、本発明によれば、「ＳＲＶＣＣ」において、ＵＥ＃１の音声通信のみを切り替える運用及びＵＥ＃１の音声通信及びパケット通信の両方を切り替える運用の両方を実現することができる移動通信システム及び無線基地局を提供することができる。
【図面の簡単な説明】
【００１１】
【図１】本発明の第１の実施形態に係る移動通信システムの全体構成図である。
【図２】本発明の第１の実施形態に係る移動通信システムの動作を示すシーケンス図である。
【図３】本発明の第１の実施形態に係る移動通信システムで用いられる「Ｓｏｕｒｃｅ  ｔｏ  ｔａｒｇｅｔ  ｔｒａｎｓｐａｒｅｎｔ  ｃｏｎｔａｉｎｅｒ」のフォーマットの一例を示す図である。
【図４】本発明の第１の実施形態に係る移動通信システムの動作を示すシーケンス図である。
【発明を実施するための形態】
【００１２】
（本発明の第１の実施形態に係る移動通信システム）
図１乃至図４を参照して、本発明の第１の実施形態に係る移動通信システムについて説明する。
【００１３】
図１に示すように、本実施形態に係る移動通信システムは、Ｅ-ＵＴＲＡＮ及び移動伝達ネットワークを含むＥＰＳ（Ｅｖｏｌｖｅｄ  Ｐａｃｋｅｔ  Ｓｙｓｔｅｍ）と、ＧＥＲＡＮ/ＵＴＲＡＮ及び２Ｇ/３Ｇ方式のコアネットワークを含む２Ｇ/３Ｇ方式のシステムと、ＩＭＳとを具備している。
【００１４】
Ｅ-ＵＴＲＡＮには、ｅＮＢ（無線基地局）が配置されており、ＧＥＲＡＮ/ＵＴＲＡＮには、ＮｏｄｅＢ/ＢＳＳ（無線基地局）（不図示）及びＲＮＣ（無線回線制御局）が配置されている。
【００１５】
移動伝達ネットワークには、ＭＭＥ（Ｍｏｂｉｌｉｔｙ  Ｍａｎａｇｅｍｅｎｔ  Ｅｎｔｉｔｙ、移動管理ノード）や、Ｓ-ＧＷ（Ｓｅｒｖｉｎｇ  Ｇａｔｅｗａｙ、サービングゲートウェイ装置）や、Ｐ-ＧＷ（ＰＤＮ-Ｇａｔｅｗａｙ、パケットデータネットワークゲートウェイ装置）や、ＰＣＲＦ（Ｐｏｌｉｃｙ  ａｎｄ  Ｃｈａｒｇｉｎｇ  Ｒｕｌｅｓ  Ｆｕｎｃｔｉｏｎ、ポリシー制御装置）や、ＨＳＳ（Ｈｏｍｅ  Ｓｕｂｓｃｒｉｂｅｒ  Ｓｅｒｖｅｒ、加入者管理サーバ）/ＨＬＲ（Ｈｏｍｅ  Ｌｏｃａｔｉｏｎ  Ｒｅｇｉｓｔｅｒ）（不図示）が配置されている。
【００１６】
２Ｇ/３Ｇ方式のコアネットワークには、ＭＳＣ（Ｍｏｂｉｌｅ-ｓｅｒｖｉｃｅ  Ｓｗｉｔｃｈｉｎｇ  Ｃｅｎｔｅｒ、回線交換機）や、ＳＧＳＮ（Ｓｅｒｖｉｎｇ  ＧＰＲＳ  Ｓｕｐｐｏｒｔ  Ｎｏｄｅ、パケット交換機）や、ＳＲＶＣＣ方式用のＭＳＣサーバや、ＣＳ-ＭＧＷ（Ｃｏｒｃｕｉｔ  Ｓｗｉｔｃｈ-Ｍｅｄｉａ  Ｇａｔｅｗａｙ、回線交換用メディアゲートウェイ装置）が配置されている。
【００１７】
ＩＭＳには、ＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）や、Ｉ/Ｓ-ＣＳＣＦ（Ｉｎｔｅｒｒｏｇａｔｉｎｇ/Ｓｅｒｖｉｎｇ  Ｃａｌｌ  Ｓｅｓｓｉｏｎ  Ｃｏｎｔｒｏｌ  Ｆｕｎｃｔｉｏｎ）や、Ｐ-ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）等が配置されている。
【００１８】
また、本実施形態に係る移動通信システムは、ＵＥ＃１の音声通信を、Ｅ-ＵＴＲＡＮを介して音声通信用パケットベアラを用いて行う状態から、ＵＴＲＡＮ/ＧＥＲＡＮを介して回線交換ベアラを用いて行う状態に切り替える「ＳＲＶＣＣ」を実現することができるように構成されている。
【００１９】
なお、本実施形態に係る移動通信システムは、「ＳＲＶＣＣ」において、ＵＥ＃１の音声通信に加えて、ＵＥ＃１の音声通信以外のパケット通信についても、Ｅ-ＵＴＲＡＮを介して行う状態から、ＵＴＲＡＮ/ＧＥＲＡＮを介して行う状態に切り替えることができる。
【００２０】
以下、図２乃至４を参照して、本実施形態に係る移動通信システムの具体的な動作について説明する。
【００２１】
第１に、図２及び図３を参照して、本実施形態に係る移動通信システムにおいて、「ＳＲＶＣＣ」において、ＵＥ＃１の音声通信に加えて、ＵＥ＃１の音声通信以外のパケット通信についても切り替える場合の動作について説明する。
【００２２】
図２の例では、最初に、ＵＥ＃１は、Ｅ-ＵＴＲＡＮを介して音声通信用パケットベアラを用いて音声通信を行う状態にあるものとする。
【００２３】
図２に示すように、ステップＳ１０１において、ＵＥ＃１は、Ｅ-ＵＴＲＡＮ内のｅＮＢに対して、「Ｍｅａｓｕｒｅｍｅｎｔ  Ｒｅｐｏｒｔ」を送信する。
【００２４】
ステップＳ１０２において、ｅＮＢは、ＵＥ＃１の接続先無線アクセスネットワークを、Ｅ-ＵＴＲＡＮからＵＴＲＡＮ/ＧＥＲＡＮに切り替えることを決定する。
【００２５】
ステップＳ１０３において、ｅＮＢは、ＭＭＥに対して、「Ｈａｎｄｏｖｅｒ  Ｒｅｑｕｉｒｅｄ」を送信する。
【００２６】
ここで、ｅＮＢは、ＭＭＥに対して送信する「Ｈａｎｄｏｖｅｒ  Ｒｅｑｕｉｒｅｄ」内の情報要素「Ｓｏｕｒｃｅ  ｔｏ  ｔａｒｇｅｔ  ｔｒａｎｓｐａｒｅｎｔ  ｃｏｎｔａｉｎｅｒ」内に、「ＳＲＶＣＣ  ＨＯ  Ｉｎｄｉｃａｔｉｏｎ」を含めるように構成されている（図３参照）。
【００２７】
なお、「ＳＲＶＣＣ  ＨＯ  Ｉｎｄｉｃａｔｉｏｎ」には、「ＣＳ  Ｏｎｌｙ」或いは「ＰＳ  ａｎｄ  ＣＳ」のどちらかが設定可能である。
【００２８】
「ＣＳ  Ｏｎｌｙ」が設定されている場合、「ＳＲＶＣＣ  ＨＯ  Ｉｎｄｉｃａｔｉｏｎ」は、上述のＵＥ＃１の音声通信のみを切り替えるように指示し、「ＰＳ  ａｎｄ  ＣＳ」が設定されている場合、「ＳＲＶＣＣ  ＨＯ  Ｉｎｄｉｃａｔｉｏｎ」は、上述のＵＥ＃１の音声通信に加えて、上述のＵＥ＃１の音声通信以外のパケット通信も切り替えるように指示する。
【００２９】
ここで、図２の例では、かかる「ＳＲＶＣＣ  ＨＯ  Ｉｎｄｉｃａｔｉｏｎ」には、「ＰＳ  ａｎｄ  ＣＳ」が設定されているものとする。
【００３０】
ＭＭＥは、ステップＳ１０４において、「Ｂｅａｒｅｒ  Ｓｐｌｉｔｔｉｎｇ」を行い、ステップＳ１０５ａにおいて、ＭＳＣサーバ/ＣＳ-ＭＧＷに対して、「ＰＳ  ｔｏ  ＣＳ  Ｒｅｑ」を送信する。
【００３１】
ステップＳ１０５ｂにおいて、ＭＳＣサーバ/ＣＳ-ＭＧＷは、ＭＳＣに対して、「Ｐｒｅｐ  ＨＯ」を送信し、ステップＳ１０５ｃにおいて、ＭＳＣは、ＵＴＲＡＮ/ＧＥＲＡＮに対して、「Ｒｅｌｏｃ/ＨＯ  Ｒｅｑ」を送信する。
【００３２】
なお、かかる「ＰＳ  ｔｏ  ＣＳ  Ｒｅｑ」、「Ｐｒｅｐ  ＨＯ」及び「Ｒｅｌｏｃ/ＨＯ  Ｒｅｑ」にも、上述の「ＳＲＶＣＣ  ＨＯ  Ｉｎｄｉｃａｔｉｏｎ」を含む「Ｓｏｕｒｃｅ  ｔｏ  ｔａｒｇｅｔ  ｔｒａｎｓｐａｒｅｎｔ  ｃｏｎｔａｉｎｅｒ」が含まれている。
【００３３】
また、ステップＳ１０６ａにおいて、ＭＭＥは、ＳＧＳＮに対して、「Ｆｏｒｗａｒｄ  Ｒｅｌｏｃ  Ｒｅｑ」を送信し、ステップＳ１０６ｂにおいて、ＳＧＳＮは、ＵＴＲＡＮ/ＧＥＲＡＮに対して、「Ｒｅｌｏｃ/ＨＯ  Ｒｅｑ」を送信する。ここで、上述の音声通信用パケットベアラ以外のパケットベアラについてのコンテキスト（Ｃｏｎｔｅｘｔ）が、ＭＭＥからＳＧＳＮに通知されるものとする。
【００３４】
なお、上述の「ＳＲＶＣＣ  ＨＯ  Ｉｎｄｉｃａｔｉｏｎ」は、上述の「ＰＳ  ｔｏ  ＣＳ  Ｒｅｑ」や「Ｐｒｅｐ  ＨＯ」や「Ｒｅｌｏｃ/ＨＯ  Ｒｅｑ」内の「Ｓｏｕｒｃｅ  ｔｏ  ｔａｒｇｅｔ  ｔｒａｎｓｐａｒｅｎｔ  ｃｏｎｔａｉｎｅｒ」の代わりに、かかる「Ｆｏｒｗａｒｄ  Ｒｅｌｏｃ  Ｒｅｑ」及び「Ｒｅｌｏｃ/ＨＯ  Ｒｅｑ」に含まれていてもよい。
【００３５】
すなわち、ＭＭＥは、ステップＳ１０５ａ、Ｓ１０５ｂ及びＳ１０５ｃにおいて、或いは、ステップＳ１０６ａ及びＳ１０６ｂにおいて、ＵＴＲＡＮ/ＧＥＲＡＮに対して、ＵＥ＃１の音声通信のみを切り替えるように指示するか、或いは、ＵＥ＃１の音声通信に加えて、ＵＥ＃１の音声通信以外のパケット通信を切り替えるように指示する切替指示情報を通知するように構成されている。
【００３６】
ステップＳ１０７ａにおいて、ＵＴＲＡＮ/ＧＥＲＡＮは、ＳＧＳＮに対して、「Ｒｅｌｏｃ/ＨＯ  Ｒｅｑ  Ａｃｋ」を送信し、ステップＳ１０７ｂにおいて、ＳＧＳＮは、ＭＭＥに対して、「Ｆｏｒｗａｒｄ  Ｒｅｌｏｃ  Ｒｅｓｐ」を送信する。
【００３７】
ステップＳ１０８ａにおいて、ＵＴＲＡＮ/ＧＥＲＡＮは、ＭＳＣに対して、「Ｒｅｌｏｃ/ＨＯ  Ｒｅｑ  Ａｃｋ」を送信し、ステップＳ１０８ｂにおいて、ＭＳＣは、ＭＳＣサーバ/ＣＳ-ＭＧＷに対して、「Ｐｒｅｐ  ＨＯ  Ｒｅｓｐ」を送信し、ステップＳ１０８ｃにおいて、ＭＳＣサーバ/ＣＳ-ＭＧＷとＭＳＣとの間で回線が設定される。
【００３８】
ステップＳ１０９において、ＭＳＣサーバ/ＣＳ-ＭＧＷは、ＩＭＳ内のＳＣＣ  ＡＳに対して、「Ｉｎｉｔｉａｔｉｏｎ  ｏｆ  Ｓｅｓｓｉｏｎ  Ｔｒａｎｓｆｅｒ（ＳＴＮ-ＳＲ又はＥ-ＳＴＮ-ＳＲ）を送信し、ＳＣＣ  ＡＳは、ステップＳ１１０及びＳ１１１において、図２に示す処理を行う。
【００３９】
ステップＳ１１２において、ＭＳＣサーバ/ＣＳ-ＭＧＷは、ＭＭＥに対して、「ＰＳ  ｔｏ  ＣＳ  Ｒｅｓｐ」を送信する。
【００４０】
ステップ１１３において、ＭＭＥは、ｅＮＢに対して、「Ｈａｎｄｏｖｅｒ  Ｃｏｍｍａｎｄ」を送信し、ステップＳ１１４において、ｅＮＢは、ＵＥ＃１に対して、「ＨＯ  ｆｒｏｍ  ＥＵＴＲＡＮ  ｃｏｍｍａｎｄ」を送信する。
【００４１】
ＵＥ＃１は、ステップＳ１１５において、接続先無線アクセスネットワークを、Ｅ-ＵＴＲＡＮからＵＴＲＡＮ/ＧＥＲＡＮに切り替える。
【００４２】
ステップＳ１１６において、ｅＮＢやＮｏｄｅＢ/ＢＳＳやＲＮＣ等で、ＵＥ＃１の接続先無線アクセスネットワークのＥ-ＵＴＲＡＮからＵＴＲＡＮ/ＧＥＲＡＮに切り替える処理が行われる。
【００４３】
ステップＳ１１７ａにおいて、ＵＴＲＡＮ/ＧＥＲＡＮは、ＭＳＣに対して、「Ｒｅｌｏｃ/ＨＯ  Ｃｏｍｐｌｅｔｅ」を送信し、ＭＳＣは、ＭＳＣサーバ/ＣＳ-ＭＧＷに対して、ステップＳ１１７ｂにおいて、「ＳＥＳ（ＨＯ  Ｃｏｍｍａｎｄ）」を送信し、ステップＳ１１７ｃにおいて、「ＡＮＳＷＥＲ」を送信する。
【００４４】
ステップＳ１１７ｄにおいて、ＭＳＣサーバ/ＣＳ-ＭＧＷとＭＭＥとの間で「ＰＳ  ｔｏ  ＣＳ  Ｃｏｍｐｌｅｔｅ/Ａｃｋ」の送受信が行われる。
【００４５】
ステップ１１７ｅにおいて、「Ｄｅｌｅｔｅ  ｂｅａｒｅｒ（ベアラ削除処理）」が行われる。
【００４６】
ステップＳ１１７ｆにおいて、ＭＳＣサーバ/ＣＳ-ＭＧＷは、ＨＳＳ/ＨＬＲに対して、「ＵｐｄａｔｅＬｏｃ」を送信する。
【００４７】
ステップＳ１１７ｇにおいて、ＵＥ＃１とＭＳＣサーバ/ＣＳ-ＭＧＷとの間で、「ＴＭＳＩ  Ｒｅａｌｌｏｃａｔｉｏｎ」が行われる。
【００４８】
ステップＳ１１８ａにおいて、ＵＴＲＡＮ/ＧＥＲＡＮは、ＳＧＳＮに対して、「Ｒｅｌｏｃ/ＨＯ  Ｃｏｍｐｌｅｔｅ」を送信し、ステップＳ１１８ｂにおいて、ＭＭＥとＳＧＳＮとの間で「Ｆｏｒｗａｒｄ  Ｒｅｌｏｃ  Ｃｏｍｐｌｅｔｅ/Ａｃｋ」の送受信が行われ、ステップＳ１１８ｃにおいて、ＳＧＳＮとＳ/Ｐ-ＧＷとの間で「Ｕｐｄａｔｅ  ｂｅａｒｅｒ（ベアラ更新処理）」が行われ、ステップＳ１１８ｄにおいて、「Ｄｅｌｅｔｅ  Ｓｅｓｓｉｏｎ（セッション削除処理）」が行われる。
【００４９】
かかるステップＳ１１８ａ乃至Ｓ１１８ｄにおいて、上述の音声通信用パケットベアラ以外のパケットベアラについての切り替え処理が行われる。なお、かかる手順により、ＭＭＥは、ｅＮＢに対して「Ｒｅｌｅａｓｅ  Ｒｅｓｏｕｒｃｅ」を送信することで（不図示）、ｅＮＢに保持されていた音声通信用パケットベアラを含む全てのパケットベアラを解放する。
【００５０】
ステップＳ１１９において、ＭＭＥ及びＭＳＣサーバ/ＣＳ-ＭＧＷは、ＧＭＬＣに対して、「Ｓｕｂｓｃｒｉｂｅｒ  Ｌｏｃａｔｉｏｎ  Ｒｅｐｏｒｔ」を送信する。
【００５１】
第２に、図３及び図４を参照して、本実施形態に係る移動通信システムにおいて、「ＳＲＶＣＣ」において、ＵＥ＃１の音声通信のみを切り替える場合の動作について説明する。
【００５２】
図４の例では、最初に、ＵＥ＃１は、Ｅ-ＵＴＲＡＮを介して音声通信用パケットベアラを用いて音声通信を行う状態にあるものとする。
【００５３】
図４に示すように、ステップＳ２０１において、ＵＥ＃１は、Ｅ-ＵＴＲＡＮ内のｅＮＢに対して、「Ｍｅａｓｕｒｅｍｅｎｔ  Ｒｅｐｏｒｔ」を送信する。
【００５４】
ステップＳ２０２において、ｅＮＢは、ＵＥ＃１の接続先無線アクセスネットワークを、Ｅ-ＵＴＲＡＮからＵＴＲＡＮ/ＧＥＲＡＮに切り替えることを決定する。
【００５５】
ステップＳ２０３において、ｅＮＢは、ＭＭＥに対して、「Ｈａｎｄｏｖｅｒ  Ｒｅｑｕｉｒｅｄ」を送信する。
【００５６】
ここで、ｅＮＢは、ＭＭＥに対して送信する「Ｈａｎｄｏｖｅｒ  Ｒｅｑｕｉｒｅｄ」内の情報要素「Ｓｏｕｒｃｅ  ｔｏ  ｔａｒｇｅｔ  ｔｒａｎｓｐａｒｅｎｔ  ｃｏｎｔａｉｎｅｒ」内に、「ＳＲＶＣＣ  ＨＯ  Ｉｎｄｉｃａｔｉｏｎ」を含めるように構成されている（図３参照）。
【００５７】
なお、図４の例では、かかる「ＳＲＶＣＣ  ＨＯ  Ｉｎｄｉｃａｔｉｏｎ」には、「ＣＳ  Ｏｎｌｙ」が設定されているものとする。
【００５８】
ＭＭＥは、ステップＳ２０４において、「Ｂｅａｒｅｒ  Ｓｐｌｉｔｔｉｎｇ」を行い、ステップＳ２０５において、ＭＳＣサーバ/ＣＳ-ＭＧＷに対して、「ＰＳ  ｔｏ  ＣＳ  Ｒｅｑ」を送信する。
【００５９】
ステップＳ２０６において、ＭＳＣサーバ/ＣＳ-ＭＧＷは、ＭＳＣに対して、「Ｐｒｅｐ  ＨＯ  Ｒｅｑ」を送信し、ステップＳ２０７において、ＭＳＣは、ＵＴＲＡＮ/ＧＥＲＡＮに対して、「ＨＯ  Ｒｅｑｕｅｓｔ」を送信し、ＵＴＲＡＮ/ＧＥＲＡＮは、ＭＳＣに対して、「ＨＯ  Ｒｅｑｕｅｓｔ  Ａｃｋ」を送信する。
【００６０】
なお、かかる「ＰＳ  ｔｏ  ＣＳ  Ｒｅｑ」、「Ｐｒｅｐ  ＨＯ  Ｒｅｑ」及び「ＨＯ  Ｒｅｑｕｅｓｔ」にも、上述の「ＳＲＶＣＣ  ＨＯ  Ｉｎｄｉｃａｔｉｏｎ」を含む「Ｓｏｕｒｃｅ  ｔｏ  ｔａｒｇｅｔ  ｔｒａｎｓｐａｒｅｎｔ  ｃｏｎｔａｉｎｅｒ」が含まれている。
【００６１】
ステップＳ２０８において、ＭＳＣは、ＭＳＣサーバ/ＣＳ-ＭＧＷに対して、「Ｐｒｅｐ  ＨＯ  Ｒｅｓｐ」を送信し、ステップＳ２０９において、ＭＳＣサーバ/ＣＳ-ＭＧＷとＭＳＣとの間で回線が設定される。
【００６２】
ステップＳ２１０乃至Ｓ２１７の動作は、図２に示すステップＳ１０９乃至Ｓ１１６の動作と同一である。
【００６３】
ステップＳ２１８ａにおいて、ＵＥ＃１は、ＵＴＲＡＮ/ＧＥＲＡＮに対して、「Ｓｕｓｐｅｎｄ（３ＧＰＰ  ＴＳ２３.０６０参照）」を送信し、ステップＳ２１８ｂにおいて、ＵＴＲＡＮ/ＧＥＲＡＮは、ＳＧＳＮに対して、「Ｓｕｓｐｅｎｄ」を送信し、ステップＳ２１８ｃにおいて、ＳＧＳＮは、ＭＭＥに対して、「Ｓｕｓｐｅｎｄ  Ｒｅｑｕｅｓｔ」を送信し、ＭＭＥは、ＳＧＳＮに対して、「Ｓｕｓｐｅｎｄ  Ｒｅｓｐｏｎｓｅ」を送信する。
【００６４】
ステップＳ２１９において、ＵＴＲＡＮ/ＧＥＲＡＮは、ＭＳＣに対して、「ＨＯ  Ｃｏｍｐｌｅｔｅ」を送信し、ＭＳＣは、ＭＳＣサーバ/ＣＳ-ＭＧＷに対して、ステップＳ２２０において、「ＳＥＳ（ＨＯ  Ｃｏｍｍａｎｄ）」を送信し、ステップＳ２２１において、「ＡＮＳＷＥＲ」を送信する。
【００６５】
ステップＳ２２２において、ＭＳＣサーバ/ＣＳ-ＭＧＷとＭＭＥとの間で「ＰＳ  ｔｏ  ＣＳ  Ｃｏｍｐｌｅｔｅ/Ａｃｋ」の送受信が行われる。
【００６６】
ステップ２２２ａにおいて、「Ｄｅｌｅｔｅ  ｂｅａｒｅｒ（ベアラ削除処理）」が行われる。
【００６７】
ステップＳ２２３ａにおいて、ＭＳＣサーバ/ＣＳ-ＭＧＷは、ＨＳＳ/ＨＬＲに対して、「ＵｐｄａｔｅＬｏｃ」を送信する。
【００６８】
ステップＳ２２３ｂにおいて、ＵＥ＃１とＭＳＣサーバ/ＣＳ-ＭＧＷとの間で、「ＴＭＳＩ  Ｒｅａｌｌｏｃａｔｉｏｎ」が行われる。
【００６９】
ステップＳ２２４において、ＭＭＥ及びＭＳＣサーバ/ＣＳ-ＭＧＷは、ＧＭＬＣに対して、「Ｓｕｂｓｃｒｉｂｅｒ  Ｌｏｃａｔｉｏｎ  Ｒｅｐｏｒｔ」を送信する。
【００７０】
本実施形態に係る移動通信システムによれば、ｅＮＢが、「Ｓｏｕｒｃｅ  ｔｏ  ｔａｒｇｅｔ  ｔｒａｎｓｐａｒｅｎｔ  ｃｏｎｔａｉｎｅｒ」に含まれる「ＳＲＶＣＣ  ＨＯ  Ｉｎｄｉｃａｔｉｏｎ」によって、ＵＴＲＡＮ/ＧＥＲＡＮに対して、ＵＥ＃１の音声通信のみを切り替えるように指示するか、或いは、ＵＥ＃１の音声通信に加えて、ＵＥ＃１の音声通信以外のパケット通信を切り替えるように指示することができる。
【００７１】
以上に述べた本実施形態の特徴は、以下のように表現されていてもよい。
【００７２】
本実施形態の第１の特徴は、Ｅ-ＵＴＲＡＮ（回線交換通信をサポートしていない第１通信方式の無線アクセスネットワーク）及びＵＴＲＡＮ/ＧＥＲＡＮ（回線交換通信をサポートしている第２通信方式の無線アクセスネットワーク）を具備する移動通信システムであって、ＵＥ＃１（移動局）の音声通信を、Ｅ-ＵＴＲＡＮを介して音声通信用パケットベアラを用いて行う状態からＵＴＲＡＮ/ＧＥＲＡＮを介して回線交換ベアラを用いて行う状態に切り替える手順において、Ｅ-ＵＴＲＡＮのｅＮＢは、ＵＴＲＡＮ/ＧＥＲＡＮに対して、「ＳＲＶＣＣ  ＨＯ  Ｉｎｄｉｃａｔｉｏｎ（切替指示情報）」を通知するように構成されており、「ＳＲＶＣＣ  ＨＯ  Ｉｎｄｉｃａｔｉｏｎ」は、「ＣＳ  Ｏｎｌｙ」を含む（移動局の音声通信のみを切り替えるように指示する）か、或いは、「ＰＳ  ａｎｄ  ＣＳ」を含む（移動局の音声通信に加えて、移動局の音声通信以外のパケット通信を、第１通信方式の無線アクセスネットワークを介して行う状態から第２通信方式の無線アクセスネットワークを介して行う状態に切り替えるように指示する）ことを要旨とする。
【００７３】
本実施形態の第１の特徴において、ｅＮＢは、ＭＭＥ（移動管理ノード）、ＭＳＣサーバ/ＣＳ-ＭＧＷ（所定サーバ）及びＭＳＣ（回線交換機）を介して、ＵＴＲＡＮ/ＧＥＲＡＮに対して透過的に転送される「Ｓｏｕｒｃｅ  ｔｏ  ｔａｒｇｅｔ  ｔｒａｎｓｐａｒｅｎｔ  ｃｏｎｔａｉｎｅｒ（転送情報）」に「ＳＲＶＣＣ  ＨＯ  Ｉｎｄｉｃａｔｉｏｎ」を含めるように構成されていてもよい。
【００７４】
本実施形態の第２の特徴は、Ｅ-ＵＴＲＡＮ及びＵＴＲＡＮ/ＧＥＲＡＮを具備する移動通信システムにおいて、Ｅ-ＵＴＲＡＮのｅＮＢであって、ＵＥ＃１の音声通信を、Ｅ-ＵＴＲＡＮを介して音声通信用パケットベアラを用いて行う状態からＵＴＲＡＮ/ＧＥＲＡＮを介して回線交換ベアラを用いて行う状態に切り替える手順において、ＵＴＲＡＮ/ＧＥＲＡＮに対して、「ＳＲＶＣＣ  ＨＯ  Ｉｎｄｉｃａｔｉｏｎ」を通知するように構成されており、「ＳＲＶＣＣ  ＨＯ  Ｉｎｄｉｃａｔｉｏｎ」は、「ＣＳ  Ｏｎｌｙ」を含むか、或いは、「ＰＳ  ａｎｄ  ＣＳ」を含むことを要旨とする。
【００７５】
本実施形態の第２の特徴において、ＭＭＥ、ＭＳＣサーバ/ＣＳ-ＭＧＷ及びＭＳＣを介して、ＵＴＲＡＮ/ＧＥＲＡＮに対して透過的に転送される「Ｓｏｕｒｃｅ  ｔｏ  ｔａｒｇｅｔ  ｔｒａｎｓｐａｒｅｎｔ  ｃｏｎｔａｉｎｅｒ」に「ＳＲＶＣＣ  ＨＯ  Ｉｎｄｉｃａｔｉｏｎ」を含めるように構成されていてもよい。
【００７６】
なお、上述のＵＥ＃１、ＵＥ＃２、ＵＴＲＡＮ/ＧＥＲＡＮ、ＭＳＣ、ＭＳＣサーバ、ＣＳ-ＭＧＷ、ＳＧＳＮ、Ｅ-ＵＴＲＡＮ（ｅＮＢ）、ＭＭＥ、Ｓ-ＧＷ、Ｐ-ＧＷ、Ｐ-ＣＳＣＦ、Ｉ/Ｓ-ＣＳＣＦ、ＳＣＣ  ＡＳ、ＰＣＲＦの動作は、ハードウェアによって実施されてもよいし、プロセッサによって実行されるソフトウェアモジュールによって実施されてもよいし、両者の組み合わせによって実施されてもよい。
【００７７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥ＃１、ＵＥ＃２、ＵＴＲＡＮ/ＧＥＲＡＮ、ＭＳＣ、ＭＳＣサーバ、ＣＳ-ＭＧＷ、ＳＧＳＮ、Ｅ-ＵＴＲＡＮ（ｅＮＢ）、ＭＭＥ、Ｓ-ＧＷ、Ｐ-ＧＷ、Ｐ-ＣＳＣＦ、Ｉ/Ｓ-ＣＳＣＦ、ＳＣＣ  ＡＳ、ＰＣＲＦ内に設けられていてもよい。また、かかる記憶媒体及びプロセッサは、ディスクリートコンポーネントとしてＵＥ＃１、ＵＥ＃２、ＵＴＲＡＮ/ＧＥＲＡＮ、ＭＳＣ、ＭＳＣサーバ、ＣＳ-ＭＧＷ、ＳＧＳＮ、Ｅ-ＵＴＲＡＮ（ｅＮＢ）、ＭＭＥ、Ｓ-ＧＷ、Ｐ-ＧＷ、Ｐ-ＣＳＣＦ、Ｉ/Ｓ-ＣＳＣＦ、ＳＣＣ  ＡＳ、ＰＣＲＦ内に設けられていてもよい。
【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８０】
ＵＥ＃１、ＵＥ＃２…移動局
Ｅ-ＵＴＲＡＮ、ＵＴＲＡＮ/ＧＥＲＡＮ…無線アクセスネットワーク
ＭＳＣ…回線交換機
ＳＧＳＮ…パケット交換機
Ｓ-ＧＷ、Ｐ-ＧＷ…ゲートウェイ装置
ＭＭＥ…移動管理ノード
【図１】
2012085074.tif 000003
【図２】
2012085074.tif 000004
【図３】
2012085074.tif 000005
【図４】
2012085074.tif 000006